(57)【特許請求の範囲】
【請求項１】
基部側梁部の前端部下面に受け梁部の後端部上面を固着して庇受け梁を構成し、下階の外壁が上階の外壁よりも屋内側に引き込んだ入り玄関において入り玄関の下階の外壁の上端面に庇受け梁の基部側梁部の後部下面を載設して固着具により固着すると共に庇受け梁の受け梁部の後部上面を上階の外壁の下端部に位置する胴差しの下面に固着具により固着し、受け梁部の上階の外壁よりも屋外側に突出した受け梁部の側面に玄関庇ユニットの庇梁材の側面を固着具により固着して成ることを特徴とする玄関庇ユニットの取付け構造。
【請求項２】
庇受け梁から吊り下げた吊り木に庇受け梁と直交する方向に長い野縁受けを固着し、吊り木の下部に野縁受けと直交する方向に長い野縁を固着し、該野縁の屋内側の端部を下階の外壁の外面部分に固着し、上記玄関庇ユニットの屋外側への突出端部の下部から下階の外壁まで至る野縁に玄関軒天井を取付けて成ることを特徴とする請求項１記載の玄関庇ユニットの取付け構造。
【発明の詳細な説明】
【０００１】
【発明の属する技術分野】
本発明は、玄関庇ユニットの取付け構造に関するものである。
【０００２】
【従来の技術】
従来から玄関庇ユニット７は図８に示すように、上階の外壁５の下端部に位置する胴差し９の前面部に片持梁３０を突設して取付け、この片持梁３０に玄関庇ユニット７の庇梁材８の側面を固着具６により固着していた。
【０００３】
ところで、下階の外壁４が上階の外壁５よりも屋内側に引き込んだ入り玄関に玄関庇ユニット７を取付ける場合、上記のように上階の外壁５の下端部に位置する胴差し９の前面部に片持梁３０を突設し、この片持梁３０に玄関庇ユニット７の庇梁材８の側面を固着具６により固着するものにおいては、玄関庇ユニット７の上端部が上階の外壁５の下端部に位置する胴差し９の下端よりも少なくとも片持梁３０の上下長さ以上上方に位置することになり、一方、玄関軒天井１２は上階の外壁５の下端部の梁よりも下方位置に位置し且つ玄関の床から一定高さ位置に設けられるものであり、このため、図８において寸法Ｈで示す玄関庇ユニット７の上下長さが長くなり、玄関庇ユニット７の材料費が高くなり、重量が増して取り扱いにくく、また、玄関庇ユニット７の上下長さが長くなりすぎるため、建物の外観のバランスが悪くなるという問題がある。
【０００４】
【発明が解決しようとする課題】
本発明は上記の点に鑑みてなされたものであり、簡単な構成で玄関庇ユニットを強固に取付けることができ、しかも玄関庇ユニットの上端部が上階の外壁の下端部に位置する胴差しの下端よりも上方に突出する突出長さをできるだけ短くでき、上階の外壁の下端部の下方に玄関軒天井を設けても玄関庇ユニットの上下長さを短くできる玄関庇ユニットの取付け構造を提供することを課題とするものである。
【０００５】
【課題を解決するための手段】
上記課題を解決するために本発明に係る玄関庇ユニットの取付け構造は、基部側梁部１の前端部下面に受け梁部２の後端部上面を固着して庇受け梁３を構成し、下階の外壁４が上階の外壁５よりも屋内側に引き込んだ入り玄関において入り玄関の下階の外壁４の上端面に庇受け梁３の基部側梁部１の後部下面を載設して固着具６により固着すると共に庇受け梁３の受け梁部２の後部上面を上階の外壁５の下端部に位置する胴差し９の下面に固着具６により固着し、受け梁部２の上階の外壁５よりも屋外側に突出した受け梁部２の側面に玄関庇ユニット７の庇梁材８の側面を固着具６により固着して成ることを特徴とするものである。このような構成とすることで、庇受け梁３の受け梁部２の上面が上階の外壁５の下端部に位置する胴差し９の下面と同じレベルとなり、したがって、該受け梁部２の側面に庇梁材８の側面を固着する玄関庇ユニット７の上端部が上記胴差し９の下端から上方に突出する長さをできるだけ短くできるものであり、上階の外壁５の下端部の下方に玄関軒天井１２を設けても玄関庇ユニット７の上下長さを短くできるものである。
【０００６】
また、庇受け梁３から吊り下げた吊り木１３に庇受け梁３と直交する方向に長い野縁受け１０を固着し、吊り木の下部に野縁受け１０と直交する方向に長い野縁１１を固着し、該野縁１１の屋内側の端部を下階の外壁４の外面部分に固着し、上記玄関庇ユニット７の屋外側への突出端部の下部から下階の外壁４まで至る野縁１１に玄関軒天井１２を取付けることが好ましい。このような構成とすることで、玄関庇ユニット７の下部から入り玄関の下階の外壁４に至る玄関軒天井１２を簡単に構成できるものである。
【０００７】
【発明の実施の形態】
以下、本発明の実施形態を図１乃至図７に示す図面に基づいて説明する。
【０００８】
図中３は庇受け梁３であり、断面コ字状をした金属製の基部側梁部１の前端部下面に断面コ字状をした受け梁部２の後端部上面を溶接により固着して庇受け梁３を構成してある。
【０００９】
上記の構成の庇受け梁３は入り玄関部分に玄関庇ユニット７を取付けるために用いられる。
【００１０】
入り玄関は図２に示すように外壁パネルにより構成した下階の外壁４が外壁パネルにより構成した上階の外壁５よりも屋内側に引き込んだものであり、上階の外壁５の下端部には胴差し９取付けてある。ここで、本発明の建物は外壁を構成する壁パネルを上下方向、左右方向に連結金具を介して連結して構成してあり、上記胴差し９は連結金具と同じ上下長さをしいる。したがって、該胴差し９の下端と下階の外壁４の上端とが同じレベルとなっている。また、下階の外壁４を構成する外壁パネルには玄関ドア枠１４が設けてある。
【００１１】
玄関庇ユニット７は庇側枠１７、庇前枠１６、庇梁材８等の庇構造材を枠組みし、複数列の庇梁材８の上面に合板のような下地板２７を敷設し、更に下地板２７上に金属製の屋根板１８を敷設して構成したものであって、あらかじめ工場で形成してあって、現場に運んで入り玄関部分に後述のようにして取付けるようになっている。なお、上記玄関庇ユニット７はフラット状庇ユニットであるが、玄関庇ユニット７の屋根面（つまり屋根板１８を敷設して構成した面）の一コーナ部付近には排水部１５が設けてあり、この排水部１５を設けた玄関庇ユニット７の屋根面は図４の矢印に示す方向に排水部１５側に向けて下り傾斜していて屋根面に降った雨がスムーズに排水部１５側に流れるようにしている。また、金属製の屋根板１８は４辺が上方に向けて突出していて水切り縦片１９となっており、屋根板１８の３辺から突出した水切り縦片１９が両庇側枠１７、庇前枠１６の外面に取付ける外面カバー５０の端部に取付けてある。
【００１２】
上記の構成の玄関庇ユニット７を入り玄関部分に取付けるに当たっては、入り玄関の下階の外壁４の上端面に庇受け梁３の基部側梁部１の後部下面を載設して固着具６により固着すると共に庇受け梁３の受け梁部２の後部上面を上階の外壁５の下端部に位置する胴差し９の下面に固着具６により固着することで庇受け梁３を胴差し９及び下階の外壁４に固着する。この場合、基部側梁部１は下階の外壁４を構成する外壁パネルの上端部のパネル枠２０の上面に固着するものである。
【００１３】
上記のようにして庇受け梁３を取付けることで、上階の外壁５よりも屋外側に庇受け梁３の受け梁部２が突出するものであり、しかもこの受け梁部２の上面は胴差し９の下面と同じレベルとなっている。
【００１４】
庇受け梁３の受け梁部２の上階の外壁５よりも屋外側に突出した部分の側面に玄関庇ユニット７の庇梁材８の側面を当てて固着具６により固着するものである。
【００１５】
このようにして取付けた玄関庇ユニット７は庇受け梁３が上階の外壁５の下端部に取付けられた胴差し９に固着されると共に下階の外壁４の上端面部に固着されているため胴差し９と下階の外壁４とに強固に取付けられることになる。また、庇受け梁３の受け梁部２の上面が胴差し９の下面と同じレベルとなっているので、玄関庇ユニット７の上端部が上記梁９の下端から上方に突出する長さをできるだけ短くできるものである。
【００１６】
なお、入り玄関の両側においては図１に示すように、庇受け端梁３’が取付けられる。この庇受け端梁３’は断面コ字状をした真っ直ぐな一本の金属梁材により形成してあり、一端部を下階の壁４の側端上部に連結する固定金物２１に固着具６により固着し、また、庇受け端梁３’の長手方向の途中の上面を上階の壁５の下端部に設ける胴差し９の下面に固着具６により固着して庇受け端梁３’の他端部側を上階の壁５から屋外側に突出し、この庇受け端梁３’の屋外側に突出した部分の側面に玄関庇ユニット７の両側部に位置する庇梁材８の側面を固着具６により固着するものである。
【００１７】
また、庇受け梁３、庇受け端梁３’に吊り木１３の上端部が固着し、この吊り木１３の下端部に庇受け梁３と直交する方向に長い野縁受け１０を固着し、吊り木の下部に野縁受け１０と直交する方向に長い野縁１１を固着する。野縁１１の屋内側の端部は下階の外壁４の外面の上部に取付けた壁際見切り材２２に載設して取付けてある。
【００１８】
そして、上記玄関庇ユニット７の屋外側への突出端部の下部から下階の外壁４まで至る野縁１１に玄関軒天井１２を取付けてある。この玄関軒天井１２は玄関の床から一定の高さ位置となるレベルとなっている。
【００１９】
ここで、前述のように玄関庇ユニット７の上端部が上記梁９の下端から上方に突出する長さをできるだけ短くできるので、入り玄関において玄関庇ユニット７の屋外側から下階の外壁４まで玄関軒天井１２を設けるものにおいて、従来のように上階の外壁の下端部に位置する胴差しの前面部に片持梁を突設し、この片持梁に玄関庇ユニットの庇梁材の側面を固着具により固着するものに比べて、玄関庇ユニット７の上下長さＨを短くできるものであり、この結果、玄関庇ユニット７の重量を軽くできて取り扱い易く、また材料費が少なくてすみ、更に、玄関庇ユニットの上下長さが長くなりすぎず、建物の外観のバランスが良くなるものである。
【００２０】
なお、玄関庇ユニット７に設けた屋根板１８の４辺から突出した水切り縦片１９のうち上階の外壁５側の水切り縦片１９は図７のように、胴差し９の外面側に沿って立ち上げ、更に、胴差し９の外面に外装材２３を取着して外装材２３の下端部により上記水切り縦片１９の外面の上端部を覆って水切り縦片１９の上端を越えて水が入り込まないようになっている。
【００２１】
【発明の効果】
上記のように本発明の請求項１記載の発明にあっては、基部側梁部の前部下面に受け梁部の後部上面を固着して庇受け梁を構成し、下階の外壁が上階の外壁よりも屋内側に引き込んだ入り玄関において入り玄関の下階の外壁の上端面に庇受け梁の基部側梁部の後部下面を載設して固着具により固着すると共に庇受け梁の受け梁部の後部上面を上階の外壁の下端部に位置する胴差しの下面に固着具により固着し、受け梁部の上階の外壁よりも屋外側に突出した受け梁部の側面に玄関庇ユニットの庇梁材の側面を固着具により固着してあるので、庇受け梁の受け梁部の上面が上階の外壁の下端部に位置する胴差しの下面と同じレベルとなり、したがって、該受け梁部の側面に庇梁材の側面を固着する玄関庇ユニットの上端部が上記梁の下端から上方に突出する長さをできるだけ短くできるものであり、上階の外壁の下端部の下方に玄関軒天井を設けても玄関庇ユニットの上下長さを短くでき、この結果、玄関庇ユニットの軽量化が図れて取り扱いやすく、また、材料費が低減でき、更に、玄関庇ユニットの上下長さが長くならず、建物全体のバランスが良くなるものである。
【００２２】
また、請求項２記載の発明にあっては、上記請求項１記載の発明の効果に加えて、庇受け梁から吊り下げた吊り木に庇受け梁と直交する方向に長い野縁受けを固着し、吊り木の下部に野縁受けと直交する方向に長い野縁を固着し、該野縁の屋内側の端部を下階の外壁の外面部分に固着し、上記玄関庇ユニットの屋外側への突出端部の下部から下階の外壁まで至る野縁に玄関軒天井を取付けるので、玄関庇ユニットの下部から入り玄関の下階の外壁に至る玄関軒天井を簡単に構成できるものである。
【図面の簡単な説明】
【図１】本発明の分解斜視図である。
【図２】同上の側面断面図である。
【図３】同上の正面断面図である。
【図４】同上の平面図である。
【図５】同上の玄関庇ユニットの屋外側の端部付近の拡大断面図である。
【図６】同上の玄関庇ユニットの側端部付近の拡大断面図である。
【図７】同上の玄関庇ユニットの水切り縦片の上階の外壁への取付け部分の拡大断面図である。
【図８】従来例の玄関庇ユニットの取付けを示す断面図である。
【符号の説明】
１  基部側梁部
２  受け梁部
３  庇受け梁
４  下階の外壁
５  上階の外壁
６  固着具
７  玄関庇ユニット
８  庇梁材
９  胴差し
１０  野縁受け
１１  野縁
１２  玄関軒天井
１３  吊り木
【図１】
0003650610.tif 000002
【図２】
0003650610.tif 000003
【図３】
0003650610.tif 000004
【図４】
0003650610.tif 000005
【図５】
0003650610.tif 000006
【図６】
0003650610.tif 000007
【図７】
0003650610.tif 000008
【図８】
0003650610.tif 000009